【事件の表示】
　平成　７年特許願第　５９４６７号「音楽再生制御装置及び音楽再生装置」拒絶査定不服審判事件〔平成　８年１０月　１日出願公開、特開平　８−２５４９８５〕について、次のとおり審決する。
【結　論】
　本件審判の請求は、成り立たない。
【理　由】
１．経緯
（１）手続
　本願は、平成７年３月１７日の出願である
　本件請求は、本願についてされた拒絶査定（平成１５年１０月１７日付け）を不服とする平成１５年１１月２０日の請求であり、平成１５年１２月２２日付けで手続補正書（明細書及び図面について請求の日から３０日以内にする補正）が提出された。
（２）査定
　原査定の理由は、概略、下記のとおりである。
　　　　　記（査定の理由）
　本願各発明（請求項１から請求項６までに係る各発明）は、下記刊行物に記載された発明および周知技術に基づいて当業者が容易に発明をすることができたものであるから、特許法第２９条第２項の規定により、特許を受けることができない。
　　　　　記
　刊行物１：特開平４−２３８３９２号公報
　刊行物２：特開平６−２８９８７２号公報（周知技術）
　
２．補正の却下の決定
　平成１５年１２月２２日付けの補正について次のとおり決定する。
　〈結論〉
　平成１５年１２月２２日付けの補正を却下する。
　〈理由〉
（１）補正の内容
　本件補正は、少なくとも、以下の補正事項を含むものである。
　請求項１について、
　「前記サブ音出力レートの変更及び前記メイン音における音程変更に対応して、前記サブ音の音程を前記音程変更指示により示される音程に補正する補正手段」（補正前）とあるのを、
　「前記サブ音出力レートの変更及び前記メイン音における音程変更に対応して、
当該サブ音出力レートの変更による前記サブ音における音程の変化を打ち消すために必要な当該サブ音における音程の補正量と、前記メイン音における音程の変化量と、を合成してサブ音音程補正量を求め、当該求められたサブ音音程補正量に基づいて、
を補
（２）補正の適合性
（２−１）補正の目的および補正の範囲
　上記補正事項は、サブ音の音程を補正する態様につき、「音程変更指示により示される音程に補正する」（補正前）を、「サブ音出力レートの変更による前記サブ音における音程の変化を打ち消すために必要な当該サブ音における音程の補正量と、メイン音における音程の変化量と、を合成して（サブ音音程補正量を求め、当該）求められたサブ音音程補正量に基づいて補正する」（補正後）に限定するものであって、特許請求の範囲の減縮に該当する。 
　そして、当該補正事項は、願書に最初に添付した明細書の段落0071および段落0072にその記載がある。願書に最初に添付した明細書及び図面に記載した事項の範囲内においてする補正である。
（２−２）独立特許要件（第１７条の２第５項）
　上記補正事項は、特許請求の範囲の減縮を目的とするものである。そこで独立特許要件について検討する。
　（ａ）補正後発明
　補正後の請求項１に係る発明（以下、補正後発明という）は、下記のとおりである。
　　　　　記（補正後発明）
　所定のメインディジタルデータに基づいてメイン音を生成するメイン音生成手段と、所定のサブディジタルデータに基づいてサブ音を生成するサブ音生成手段と、を備えた音楽再生制御装置において、
　外部から入力された入力信号に含まれるテンポ変更指示に基づいて、前記メイン音生成手段におけるメイン音出力レートを変更するメイン音出力レート変更手段と、
　前記入力信号に含まれるテンポ変更指示に基づいて、前記サブ音生成手段におけるサブ音出力レートを変更するサブ音出力レート変更手段と、
　前記入力信号に含まれる音程変更指示に基づいて、前記メイン音の音程を変更するメイン音音程変更手段と、
　前記サブ音出力レートの変更及び前記メイン音における音程変更に対応して、
当該サブ音出力レートの変更による前記サブ音における音程の変化を打ち消すために必要な当該サブ音における音程の補正量と、前記メイン音における音程の変化量と、を合成してサブ音音程補正量を求め、当該求められたサブ音音程補正量に基づいて、
を補
　前記サブ音出力レートの変更タイミングと、前記メイン音出力レートの変更タイミングとを同期させる同期制御手段と、
　を備えたことを特徴とする音楽再生制御装置。
　（ｂ）刊行物１（特開平４−２３８３９２号公報）
　原査定の拒絶の理由に引用された刊行物１には、「音楽再生装置」（発明の名称）に関し、図面と共に次に掲げる事項（ア）から（カ）までが記載されている。 
　　（ア）「曲記憶手段に記憶された符号化演奏データおよびサンプリングデータ記憶手段に記憶されたサンプリングデータを読み出して楽音に再生する音楽再生装置において、前記曲記憶手段は演奏曲に固有の曲番号データを含む演奏データを記憶し、前記サンプリングデータ記憶手段は曲番号データを含むサンプリングデータを記憶したものであり、希望する曲番号およびその再生のテンポを設定する入力手段と、設定された曲番号の演奏データおよびサンプリングデータを前記各記憶手段から読み出すと共に、設定されたテンポ指示信号を出力する制御手段と、この制御手段により読み出されたサンプリングデータを受取り音声信号に変換するサンプリングデータ復号手段と、前記制御手段からのテンポ指示信号に従って前記サンプリングデータ復号手段が前記演奏データの再生音と同期してサンプリングデータを復号するための復号基準クロックを発生させる復号クロック発生手段と、前記制御手段からの再生テンポ指示信号に従って前記サンプリングデータ復号手段からの音声信号の音程の変換を行う音程変換手段とを備えたことを特徴とする音楽再生装置。」（特許請求の範囲）
　　（イ）「【発明が解決しようとする課題】ところが、上述した従来の音楽再生装置では、バックコーラス再生音は、そのキーを変えることなく、テンポを変化させることはできなかった。本発明は上記問題点を解決するもので、符号化データでなる演奏データの楽音再生音とサンプリング処理によるバックコーラスなどの音声復号音との同期をとりながら、サンプリング処理による音声復号音のキーを変化させることなく、再生のテンポを変えることができる音楽再生装置を提供することを目的とする。」（段落0003）
　　（ウ）「【作用】上記構成によれば、入力手段によって曲再生のテンポが設定されると、制御手段は、記憶手段から演奏データを読み出し、再生のテンポに従って曲再生手段へ演奏データを転送し、音声に再生する。さらに、バックコーラスデータを記憶手段から読み出し、復号手段へ転送する。転送されたバックコーラスデータは復号タイミングのクロックに基づいて復号され、さらにアナログ化されてバックコーラス音声信号に変換される。バックコーラス音声信号は音程変換手段により、音声信号のキー変化を標準テンポで再生したときと同じキーになるように調整され、演奏データによる音声信号と同期をとって再生される。」（段落0005）
　　（エ）「次に、図１に基づいて説明する。同図において、入力手段１は、希望する曲の曲番号および再生テンポの設定を行うものである。この再生テンポの設定は後述するように、０，±１，±２という予め決められたステップで行うようにしている。制御手段２は、カラオケ装置全体の制御を行うもので、入力手段１により設定された曲番号のサンプリングデータ（ＳＤ）を記憶媒体であるサンプリングデータ記憶手段４から順次読み出し、サンプリングデータ復号手段７へ転送する機能と、設定された曲番号の演奏データ（ＥＤ）を曲記憶手段３から順次読み出し、設定されたテンポ（０，±１，±２）に従ってＭＩＤＩ再生手段５へ転送する機能と、設定されたテンポを音程調整手段６および復号クロック発生手段８へ指示する機能を有している。
　サンプリングデータ復号手段７は、受け取ったサンプリングデータ（ＳＤ）を一時蓄えて、復号基準クロックに基づいてサンプリングデータ（ＳＤ）を復号してゆき、ＤＡ変換を行いサンプリング音声信号に変換する。復号クロック発生手段８は、サンプリングデータ復号手段７の再生音がＭＩＤＩ再生手段５からの再生音と同期をとって再生できるような周波数の復号基準クロックを発生させる。」（段落0007、段落0008）
　　（オ）「制御手段２は、ＭＩＤＩ再生手段５への演奏データ（ＥＤ）を転送する標準のテンポをＴＢとし、テンポ設定の値をｎ（ｎ＝０，±１，±２）とすると、テンポ設定時のＭＩＤＩ再生手段５への演奏データの転送のテンポは、ＴＢに２の１２乗根のｎ乗を乗じたものとなるよう制御する。音程調整手段６は、制御手段２からのテンポ指示に従って、サンプリングデータ復号手段７から出力されるサンプリング音声信号の音程の変換を行う。・・・（中略）・・・次に、本実施例による音楽再生装置の動作について説明する。ユーザが入力手段１により所望の曲番号を設定すると共に、再生のテンポを設定すると、制御手段２は設定した曲番号に基づいて曲記憶手段３およびサンプリングデータ記憶手段４を検索し、対応する曲データを曲記憶手段３から、サンプリングデータをサンプリングデータ記憶手段４から順次読み出し、サンプリングデータをサンプリングデータ復号手段７へ転送する。演奏データ（ＥＤ）をテンポの設定に従ってＭＩＤＩ再生手段５へ転送する。また、設定されたテンポを復号クロック発生手段８および音程調整手段６へ指示する。復号クロック発生手段８は、指示されたテンポに従って対応する周波数のクロックを発生する。音程調整手段６は、指示されたテンポに従ってサンプリングデータ復号手段７からのサンプリング音声信号の音程の調整を行う。」（段落0009、段落0010）
　　（カ）「【発明の効果】以上のように本発明によれば、サンプリング処理による音声信号は、そのキー変化を標準テンポで再生したときと同じキーになるように調整され、また、ＭＩＤＩ等再生手段から出力される楽音信号と同期をとって再生されるため、バックコーラスのキーを変えずにテンポを変えることができ、自分の好みのテンポで曲の再生を行うことが可能となる。」（段落0011）
　（ｃ）対比（対応関係）
　補正後発明と刊行物１に記載された発明とを対比すると以下の対応が認められる。
　（ｃ１）刊行物１には、曲記憶手段に記憶された符号化演奏データおよびサンプリングデータ記憶手段に記憶されたサンプリングデータを読み出して楽音に再生する音楽再生装置が記載されており（上記ア）、その実施例として、制御手段２は、カラオケ装置全体の制御を行うもので、入力手段１により設定された曲番号のサンプリングデータ（ＳＤ）を記憶媒体であるサンプリングデータ記憶手段４から順次読み出し、サンプリングデータ復号手段７へ転送し、また設定された曲番号の演奏データ（ＥＤ）を曲記憶手段３から順次読み出し、設定されたテンポに従ってＭＩＤＩ再生手段５へ転送することによって、サンプリングデータ復号手段７の再生音がＭＩＤＩ再生手段５からの再生音と同期をとって再生できることが記載されている（上記エ）。
　これらの記載によれば、刊行物１に記載の発明の「ＭＩＤＩ再生手段５」及び「サンプリングデータ復号手段７」が、それぞれ補正後発明の「メイン音生成手段」及び「サブ音生成手段」に相当することは明らかであり、刊行物１に記載の発明も、「所定のメインディジタルデータに基づいてメイン音を生成するメイン音生成手段と、所定のサブディジタルデータに基づいてサブ音を生成するサブ音生成手段と、を備えた音楽再生制御装置」を対象としているといえる。
　（ｃ２）刊行物１には、入力手段によって設定される曲再生のテンポに従って、演奏データの楽音再生音とバックコーラスなどの音声復号音とを同期をとりながら、音声復号音のキーを変化させることなく、再生のテンポを変えることが記載されており（上記イ、ウ、カ）、そのような演奏データの楽音再生音とバックコーラスなどの音声復号音のテンポ変更は、入力手段からの入力信号に含まれるテンポ変更指示に基づいてなされるものといえるから、刊行物１に記載の発明も、「外部から入力された入力信号に含まれるテンポ変更指示に基づいて、前記メイン音生成手段におけるメイン音出力レートを変更するメイン音出力レート変更手段と、前記入力信号に含まれるテンポ変更指示に基づいて、前記サブ音生成手段におけるサブ音出力レートを変更するサブ音出力レート変更手段」とを有し、さらに、「前記サブ音出力レートと、前記メイン音出力レートとを同期させる同期制御手段」を有する点でも、補正後発明と変わりがない。
　（ｃ３）刊行物１には、音程調整手段６は、指示されたテンポに従ってサンプリングデータ復号手段７からのサンプリング音声信号の音程の調整を行うことが記載されており（上記オ）、その音程調整は、音声信号のキー変化を標準テンポで再生したときと同じキーになるように調整するものであるから（上記ウ、カ）、刊行物１に記載の発明も、サンプリング音声信号の音程を補正する補正手段、すなわち、「前記サブ音出力レートの変更に対応して、当該サブ音出力レートの変更による前記サブ音における音程の変化を打ち消すために必要な当該サブ音における音程の補正量に基づいて、前記サブ音の音程を補正する補正手段」を有するものといえる。
　（ｃ４）一般に、カラオケのような楽音再生制御装置は、歌唱者の趣向に応じて楽曲の音程をユーザの音程変更指示により変更する音程変更手段を備えることが普通であり（例えば、特開平６−１３０９７８号公報参照）、刊行物１に記載の発明も、カラオケのような音楽再生制御装置を対象とするものであり、「前記入力信号に含まれる音程変更指示に基づいて、前記メイン音の音程を変更するメイン音音程変更手段」を備えることを当然の前提としているといえる。
　（ｄ）一致点・相違点
　以上によれば、補正後発明と刊行物１記載の発明との一致点および相違点は、下記のとおりである。
　　　　　記（一致点）
　所定のメインディジタルデータに基づいてメイン音を生成するメイン音生成手段と、所定のサブディジタルデータに基づいてサブ音を生成するサブ音生成手段と、を備えた音楽再生制御装置において、
　外部から入力された入力信号に含まれるテンポ変更指示に基づいて、前記メイン音生成手段におけるメイン音出力レートを変更するメイン音出力レート変更手段と、
　前記入力信号に含まれるテンポ変更指示に基づいて、前記サブ音生成手段におけるサブ音出力レートを変更するサブ音出力レート変更手段と、
　前記入力信号に含まれる音程変更指示に基づいて、前記メイン音の音程を変更するメイン音音程変更手段と、
　前記サブ音出力レートの変更に対応して、当該サブ音出力レートの変更による前記サブ音における音程の変化を打ち消すために必要な当該サブ音における音程の補正量に基づいて、前記サブ音の音程を補正する補正手段と、
　前記サブ音出力レートと、前記メイン音出力レートとを同期させる同期制御手段と、
　を備えたことを特徴とする音楽再生制御装置。
　　　　　記（相違点）
　〈相違点１〉
　補正手段が、
　補正後発明では、さらに、「前記メイン音における音程変更」にも対応して、サブ音出力レートの変更によるサブ音における音程の変化を打ち消すために必要なサブ音における音程の補正量と、「前記メイン音における音程の変化量と、を合成してサブ音音程補正量を求め、当該求められたサブ音音程補正量に基づいて」、サブ音の音程を補正するに対して、
　刊行物１に記載の発明では、再生のテンポに従ってバックコーラス音声信号は音程変換手段により、音声信号のキー変化を標準テンポで再生したときと同じキーになるように調整することは示されているものの、「メイン音における音程変更」にも対応してサブ音の音程を補正することについては記載がない点。
　〈相違点２〉
　同期制御手段が、
　補正後発明では、サブ音出力レートの「変更タイミング」と、メイン音出力レートの「変更タイミング」とを同期させるのに対して、
　刊行物１に記載の発明では、演奏データの再生音とバックコーラスとのテンポを同期させることは記載されているものの、それらのテンポの変更タイミングを同期させる点については記載がない点。
　（ｅ）相違点の判断等
　〈相違点１について〉
　カラオケのような音楽再生制御装置において、入力手段からの楽曲の音程変更の指示に応じて、楽曲の音程を変更するとともに、それに合わせて人の声の音程を変更することは周知の技術である（例えば、特開平６−１３０９７８号公報参照）。
　また、刊行物１の「サンプリング処理による音声信号は、そのキー変化を標準テンポで再生したときと同じキーになるように調整され」（上記カ）は、ＭＩＤＩ再生手段５からの再生音のキーに変更がないことを前提とした記載であり、サンプリング処理による音声信号のキーにも変更がないように調整することを意味するものである。裏を返せば、ＭＩＤＩ再生手段５からの再生音のキーに変更がある場合においては、サンプリング処理による音声信号のキーもこれに対応して変更することを示唆するものである。
　相違点１に係る構成は、刊行物１に記載の発明において、再生のテンポ変更によって音声復号音の音程が変化することのないように音声復号音の音程を調整することに加えて、上記周知のように、楽曲の音程変更の際の音程変更量をも合わせて音声復号音の音程を補正することにより、当業者が容易になし得ることである。
　〈相違点２について〉
　刊行物１に記載の発明も、制御手段２は、ＭＩＤＩ再生手段５からの楽音再生音とサンプリングデータ復号手段７からの音声復号音のテンポの同期をとりながら、再生のテンポを変えることができるものであり（上記イ、エ）、このような場合において、ＭＩＤＩ再生手段からの楽音再生音とサンプリングデータ復号手段からの音声復号音とのテンポ変更を即時に実行できるようにすることは当然の要求である。
　相違点２に係る構成は、刊行物１に記載の発明において、テンポ変更命令を認識した次のイベントタイミングで楽音再生音のテンポの変更タイミングと音声復号音のテンポの変更タイミングとを同期させることにより、当業者が容易になし得ることである。
　〈効果等〉
　前記のとおり、補正後発明の相違点１および相違点２に係る各構成は当業者が容易になし得ることであるところ、これら相違点を総合しても格別の作用をなすとは認められない。補正後発明の効果も、刊行物１の記載、および上記周知技術からから予測することができる程度のものにすぎない。
（２−４）小括（独立特許要件）
　以上によれば、補正後発明は、特許請求の範囲の減縮を目的とするものであるところ、刊行物１に記載された発明および周知技術に基づいて、当業者が容易に発明をすることができたものであるから、特許法第２９条第２項の規定により特許出願の際独立して特許を受けることができない。
　したがって、本件補正は、特許法（平成６年法律第１１６号により改正される前の特許法）第１７条の２第４項において読み替えて準用する同法第１２６条第３項の規定に適合しない。
（３）むすび（決定）
　以上、本件補正は、特許法（平成６年法律第１１６号により改正される前の特許法）第１７条の２第４項において読み替えて準用する同法第１２６条第３項の規定に違反するので、特許法第１５９条第１項の規定において読み替えて準用する同法第５３条第１項の規定により却下すべきものである。
　
３．本願発明
　平成１５年１２月２２日付けの手続補正は上記のとおり却下する。
　本件出願の請求項１から請求項６までに係る発明は、本願明細書及び図面（平成１５年１０月６日付け手続補正書により補正された明細書及び図面）の記載からみて、それぞれ、その特許請求の範囲の請求項１から請求項６までに記載した事項により特定されるとおりのものであるところ、そのうち、請求項１に係る発明（以下、本願発明ともいう）は、下記のとおりである。
　　　　　記（本願発明）
　所定のメインディジタルデータに基づいてメイン音を生成するメイン音生成手段と、所定のサブディジタルデータに基づいてサブ音を生成するサブ音生成手段と、を備えた音楽再生制御装置において、
　外部から入力された入力信号に含まれるテンポ変更指示に基づいて、前記メイン音生成手段におけるメイン音出力レートを変更するメイン音出力レート変更手段と、
　前記入力信号に含まれるテンポ変更指示に基づいて、前記サブ音生成手段におけるサブ音出力レートを変更するサブ音出力レート変更手段と、
　前記入力信号に含まれる音程変更指示に基づいて、前記メイン音の音程を変更するメイン音音程変更手段と、
　前記サブ音出力レートの変更及び前記メイン音における音程変更に対応して、前記サブ音の音程を前記音程変更指示により示される音程に補正する補正手段と、
　前記サブ音出力レートの変更タイミングと、前記メイン音出力レートの変更タイミングとを同期させる同期制御手段と、
　を備えたことを特徴とする音楽再生制御装置。
　
４．査定の検討
（１）刊行物の記載
　原査定の拒絶理由に引用された刊行物１には、前記のとおり（ア）から（カ）までの記載がある。
（２）対比（対応関係、一致点・相違点）
　補正後発明と刊行物１に記載の発明とについてした上記対応関係を参照すると、本願発明と刊行物１に記載の発明との一致点および相違点は、下記のとおりである。
　　　　　記（一致点）
　所定のメインディジタルデータに基づいてメイン音を生成するメイン音生成手段と、所定のサブディジタルデータに基づいてサブ音を生成するサブ音生成手段と、を備えた音楽再生制御装置において、
　外部から入力された入力信号に含まれるテンポ変更指示に基づいて、前記メイン音生成手段におけるメイン音出力レートを変更するメイン音出力レート変更手段と、
　前記入力信号に含まれるテンポ変更指示に基づいて、前記サブ音生成手段におけるサブ音出力レートを変更するサブ音出力レート変更手段と、
　前記入力信号に含まれる音程変更指示に基づいて、前記メイン音の音程を変更するメイン音音程変更手段と、
　前記サブ音出力レートの変更に対応して、前記サブ音の音程を補正する補正手段と、
　前記サブ音出力レートの変更タイミングと、前記メイン音出力レートの変更タイミングとを同期させる同期制御手段と、
　を備えたことを特徴とする音楽再生制御装置。
　　　　　記（相違点）
　〈相違点１〉
　補正手段が、
　本願発明では、さらに、「前記メイン音における音程変更」にも対応して、「音程変更指示により指示される音程に」サブ音の音程を補正するのに対して、
　刊行物１に記載の発明では、再生のテンポに従ってバックコーラス音声信号は音程変換手段により、音声信号のキー変化を標準テンポで再生したときと同じキーになるように調整することは示されているものの、「メイン音における音程変更」にも対応してサブ音の音程を補正することについては記載がない点。
　〈相違点２〉
　上記補正後発明に係る相違点２と同じ。
（３）相違点の判断等
　〈相違点１について〉
　上記補正後発明に係る相違点１についてした判断と同じである。
　〈相違点２について〉
　上記補正後発明に係る相違点２についてした判断と同じである。
　〈効果等〉
　上記補正後発明に係る効果等についてした判断と同じである。
（４）まとめ
　以上によれば、本願発明は、刊行物１に記載された発明および周知技術に基づいて、当業者が容易に発明をすることができたものであり、特許法第２９条第２項の規定により特許を受けることができない。
　
５．むすび
　以上、請求項１に係る発明は刊行物１に記載された発明及び周知技術に基づいて当業者が容易に発明をすることができたものであるから、特許法第２９条第２項の規定により特許を受けることができない。
　したがって、残る請求項２から請求項６までに係る各発明について特に検討するまでもなく、本願は拒絶をすべきものである。
　よって、結論のとおり審決する。